(57)【要約】【課題】  使用モードに応じて操作に必要なキーを開放し、使い勝手の向上を図る。【解決手段】  駆動回路及び制御回路等の各種の回路を有する装置本体４と、複数の所定の操作キー１６、１６、・・・及び特定入力部１７、１７、・・・が設けられた入力装置３と、表示画面１１を有するディスプレイ装置２とを設け、入力装置を複数の所定の操作キーが配置されたキーボード１２と、該キーボードの一端部に回動自在に支持され閉塞位置と開放位置との間で回動されるキーボードカバー１３とによって構成し、該キーボードカバーが開放位置にあるときに上記複数の操作キーを開放すると共に上記特定入力部を閉塞し、キーボードカバーが閉塞位置にあるときに上記複数の操作キーを閉塞すると共に上記特定入力部を開放するようにした。【選択図】        図４
2005149045.tif 000002
【特許請求の範囲】
【請求項１】
駆動回路及び制御回路を有する装置本体と、
複数の所定の操作キー及び少なくとも１つの特定入力部が設けられた入力装置と、
表示画面を有するディスプレイ装置とを備え、
上記入力装置を上記複数の所定の操作キーが配置されたキーボードと、該キーボードの一端部に回動自在に支持され閉塞位置と開放位置との間で回動されるキーボードカバーとによって構成し、
該キーボードカバーが開放位置にあるときに上記複数の操作キーが開放されると共に上記特定入力部が閉塞され、
キーボードカバーが閉塞位置にあるときに上記複数の操作キーが閉塞されると共に上記特定入力部が開放されるようにした
ことを特徴とする情報処理機器。
【請求項２】
上記特定入力部をキーボードに配置した
ことを特徴とする請求項１に記載の情報処理機器。
【請求項３】
上記特定入力部を、閉塞位置においてキーボードカバーの操作キーと対向する面と反対側の面に配置した
ことを特徴とする請求項１に記載の情報処理機器。
【請求項４】
上記キーボードカバーが閉塞位置にあるときに上記特定入力部のうち操作可能な特定入力部が発光するようにした
ことを特徴とする請求項１に記載の情報処理機器。
【請求項５】
上記入力装置にキーボードカバーの開閉位置を検出する検出手段を設けた
ことを特徴とする請求項１に記載の情報処理機器。
【請求項６】
上記キーボードカバーが開放位置にあるときにディスプレイ装置の表示画面が第１の表示モードに設定され、
キーボードカバーが閉塞位置にあるときにディスプレイ装置の表示画面が第２の表示モードに設定され、
上記第１の表示モードと第２の表示モードにおいて、それぞれ表示画面の輝度調節を可能とした
ことを特徴とする請求項１に記載の情報処理機器。
【請求項７】
複数の所定の操作キー及び少なくとも１つの特定入力部が設けられた入力装置であって、
上記複数の所定の操作キーが配置されたキーボードと、
該キーボードの一端部に回動自在に支持され閉塞位置と開放位置との間で回動されるキーボードカバーとによって構成し、
該キーボードカバーが開放位置にあるときに上記複数の操作キーが開放されると共に上記特定入力部が閉塞され、
キーボードカバーが閉塞位置にあるときに上記複数の操作キーが閉塞されると共に上記特定入力部が開放されるようにした
ことを特徴とする入力装置。
【請求項８】
上記特定入力部をキーボードに配置した
ことを特徴とする請求項７に記載の入力装置。
【請求項９】
上記特定入力部を、閉塞位置においてキーボードカバーの操作キーと対向する面と反対側の面に配置した
ことを特徴とする請求項７に記載の入力装置。
【請求項１０】
上記キーボードカバーが閉塞位置にあるときに上記特定入力部のうち操作可能な特定入力部が発光するようにした
ことを特徴とする請求項７に記載の入力装置。
【請求項１１】
上記キーボードカバーの開閉位置を検出する検出手段を設けた
ことを特徴とする請求項７に記載の入力装置。
【発明の詳細な説明】
【技術分野】
【０００１】
本発明は情報処理機器及び入力装置についての技術分野に関する。詳しくは、キーボードカバーによって使用モードに応じて操作に必要なキーを開放し、使い勝手の向上を図る技術分野に関する。
【背景技術】
【０００２】
情報処理機器には、例えば、複数の操作キーが設けられたキーボードと表示画面を有するディスプレイ装置と駆動回路や制御回路等の各種の回路を内部に有する装置本体とを備えたパーソナルコンピューターがある。
【０００３】
このような従来の情報処理機器として、キーボードにキーボードカバーが回動自在に支持され、キーボードに配置された複数の操作キーをキーボードカバーによって開閉可能とし、不使用時にキーボードカバーによって操作キーを閉塞し、操作キーへの塵埃の付着や隣接する操作キー間への塵埃の侵入を防止するようにしたものがある（例えば、特許文献１参照）。
【０００４】
情報処理機器には、ワンタッチ操作により所定の処理を実行することができる所謂ホットキー等と称される特定入力部が配置されているものがあり、これらの特定入力部としては、システム全体の動作を一時的に停止するスタンバイキー、各種のアプリケーションソフトウェアを実行するソフトウェア実行キー、電源投入のための電源キー、パソコン画面モードとテレビ画面モード等の切替を行うためのモード切替キー等がある。
【０００５】
特許文献１に記載された従来の情報処理機器にあっては、特定入力部を常時操作可能とするために、操作キーはキーボードカバーによって閉塞可能とされているが、特定入力部は閉塞不能とされ、特定入力部はキーボードカバーの開閉位置に拘わらず常時開放された状態とされている。
【０００６】
【特許文献１】特開２０００−２４２３９５号公報（第７図）
【発明の開示】
【発明が解決しようとする課題】
【０００７】
ところが、従来の情報処理機器のように、特定入力部がキーボードカバーの開閉位置に拘わらず常時開放された状態とされていると、特定入力部への塵埃の付着や隣接する特定入力部間への塵埃の侵入を防止することができない。
【０００８】
また、特定入力部はキーボードカバーが操作キーを閉塞する閉塞状態にあるときに操作される場合も多く、例えば、パソコン画面モードとテレビ画面モード等の切替を行うためのモード切替キー等、特定入力部の種類によっては、キーボードカバーが閉塞位置にあるときに操作可能とされていれば十分なものもある。
【０００９】
そこで、本発明情報処理機器及び入力装置は、上記した問題点を克服し、使用モードに応じて操作に必要なキーを開放し、使い勝手の向上を図ることを課題とする。
【課題を解決するための手段】
【００１０】
本発明情報処理機器及び入力装置は、上記した課題を解決するために、駆動回路及び制御回路等の各種の回路を有する装置本体と、複数の所定の操作キー及び少なくとも１つの特定入力部が設けられた入力装置と、表示画面を有するディスプレイ装置とを設け、上記入力装置を上記複数の所定の操作キーが配置されたキーボードと、該キーボードの一端部に回動自在に支持され閉塞位置と開放位置との間で回動されるキーボードカバーとによって構成し、該キーボードカバーが開放位置にあるときに上記複数の操作キーを開放すると共に上記特定入力部を閉塞し、キーボードカバーが閉塞位置にあるときに上記複数の操作キーを閉塞すると共に上記特定入力部を開放するようにしたものである。
【００１１】
従って、本発明情報処理機器及び入力装置は、キーボードカバーの開閉位置に応じて操作可能なキーが変更される。
【発明の効果】
【００１２】
本発明情報処理機器は、駆動回路及び制御回路を有する装置本体と、複数の所定の操作キー及び少なくとも１つの特定入力部が設けられた入力装置と、表示画面を有するディスプレイ装置とを備え、上記入力装置を上記複数の所定の操作キーが配置されたキーボードと、該キーボードの一端部に回動自在に支持され閉塞位置と開放位置との間で回動されるキーボードカバーとによって構成し、該キーボードカバーが開放位置にあるときに上記複数の操作キーが開放されると共に上記特定入力部が閉塞され、キーボードカバーが閉塞位置にあるときに上記複数の操作キーが閉塞されると共に上記特定入力部が開放されるようにしたことを特徴とする。
【００１３】
従って、使用モードに応じた必要なキーのみが開放されて操作可能とされるため、各モードにおいて、不要なキーへの塵埃の付着及び隣接する不要なキー間への塵埃の侵入を防止することができる。
【００１４】
また、各モードにおいて操作を必要とするキーのみが開放されるため、不必要なキーが目障りとならず、情報処理機器の使い勝手の向上を図ることができる。
【００１５】
請求項２に記載した発明にあっては、上記特定入力部をキーボードに配置したので、特定入力部のための配線の引き回しが少なくて済み、設計及び製造の容易化を図ることができる。
【００１６】
請求項３に記載した発明にあっては、上記特定入力部を、閉塞位置においてキーボードカバーの操作キーと対向する面と反対側の面に配置したので、特定入力部を配置するための広いスペースを確保することができるため設計の自由度が向上し、また、広いスペースに特定入力部を配置することにより特定入力部を大型化することが可能であり操作性の向上を図ることができる。
【００１７】
請求項４に記載した発明にあっては、上記キーボードカバーが閉塞位置にあるときに上記特定入力部のうち操作可能な特定入力部が発光するようにしたので、ユーザーが視覚により現在使用可能な特定入力部を判別することができ、使い勝手の向上を図ることができる。
【００１８】
請求項５に記載した発明にあっては、上記入力装置にキーボードカバーの開閉位置を検出する検出手段を設けたので、キーボードカバーの開放位置と閉塞位置の検出を確実に行うことができる。
【００１９】
請求項６に記載した発明にあっては、上記キーボードカバーが開放位置にあるときにディスプレイ装置の表示画面が第１の表示モードに設定され、キーボードカバーが閉塞位置にあるときにディスプレイ装置の表示画面が第２の表示モードに設定され、上記第１の表示モードと第２の表示モードにおいて、それぞれ表示画面の輝度調節を可能としたので、ユーザーが使用環境や使用状況等に応じた輝度を選択することができ、情報処理機器の使い勝手の向上を図ることができる。
【００２０】
本発明入力装置は、複数の所定の操作キー及び少なくとも１つの特定入力部が設けられた入力装置であって、上記複数の所定の操作キーが配置されたキーボードと、該キーボードの一端部に回動自在に支持され閉塞位置と開放位置との間で回動されるキーボードカバーとによって構成し、該キーボードカバーが開放位置にあるときに上記複数の操作キーが開放されると共に上記特定入力部が閉塞され、キーボードカバーが閉塞位置にあるときに上記複数の操作キーが閉塞されると共に上記特定入力部が開放されるようにしたことを特徴とする。
【００２１】
従って、使用モードに応じた必要なキーのみが開放されて操作可能とされるため、各モードにおいて、不要なキーへの塵埃の付着及び隣接する不要なキー間への塵埃の侵入を防止することができる。
【００２２】
また、各モードにおいて操作を必要とするキーのみが開放されるため、不必要なキーが目障りとならず、入力装置の使い勝手の向上を図ることができる。
【００２３】
請求項８に記載した発明にあっては、上記特定入力部をキーボードに配置したので、特定入力部のための配線の引き回しが少なくて済み、設計及び製造の容易化を図ることができる。
【００２４】
請求項９に記載した発明にあっては、上記特定入力部を、閉塞位置においてキーボードカバーの操作キーと対向する面と反対側の面に配置したので、特定入力部を配置するための広いスペースを確保することができるため設計の自由度が向上し、また、広いスペースに特定入力部を配置することにより特定入力部を大型化することが可能であり操作性の向上を図ることができる。
【００２５】
請求項１０に記載した発明にあっては、上記キーボードカバーが閉塞位置にあるときに上記特定入力部のうち操作可能な特定入力部が発光するようにしたので、ユーザーが視覚により現在使用可能な特定入力部を判別することができ、使い勝手の向上を図ることができる。
【００２６】
請求項１１に記載した発明にあっては、上記入力装置にキーボードカバーの開閉位置を検出する検出手段を設けたので、キーボードカバーの開放位置と閉塞位置の検出を確実に行うことができる。
【発明を実施するための最良の形態】
【００２７】
以下に、本発明情報処理機器及び入力装置を添付図面に従って説明する。以下に示す最良の形態は、本発明情報処理機器及び入力装置をパーソナルコンピューター及びこれに用いられる入力装置に適用したものである。尚、本発明の適用範囲はパーソナルコンピューター及びこれに用いられる入力装置に限られることはなく、本発明は、例えば、ＰＤＡ（Personal Digital Assistant）、ネットワーク端末、携帯情報端末、ワークステーション等の各種の情報処理機器及びこれに用いられる入力装置に適用することができる。
【００２８】
情報処理機器（パーソナルコンピューター）１はディスプレイ装置２と入力装置３と内部に駆動回路や制御回路等の各種の回路を有する装置本体４とを備えている（図１及び図２参照）。
【００２９】
装置本体４にはディスプレイ装置２、入力装置３及びマウス５がそれぞれ接続ケーブル６、７、８によって接続されている。
【００３０】
ディスプレイ装置２はパネル９と該パネル９を保持するスタンド１０とから成り、パネル９の前面９ａには表示画面１１が設けられている。パネル９の所定の位置には、前方側への照明（イルミネーション）を行うための図示しない発光部が設けられている。
【００３１】
入力装置３はキーボード１２と該キーボード１２の前端部に回動自在に支持されたキーボードカバー１３とから成り、該キーボードカバー１３はヒンジ軸１４、１４を介して支持されている（図３及び図４参照）。
【００３２】
キーボード１２は横長の略矩形状を為す筐体１５に所定の複数の操作キー１６、１６、・・・及び特定入力部１７、１７、・・・が配置されて成る（図１、図２及び図４参照）。筐体１５の手前側の端部には、その左右両端部にそれぞれ上方へ突出された支持突部１５ａ、１５ａが設けられ（図３に一方のもののみ示す。）、該支持突部１５ａ、１５ａにヒンジ軸１４、１４が設けられている。
【００３３】
操作キー１６、１６、・・・は筐体１５の周縁部を除いた部分に配置され、特定入力部１７、１７、・・・は筐体１５の前縁部の長手方向における中央部に配置されている。
【００３４】
操作キー１６、１６、・・・としては、例えば、前の操作の段階に戻すため等のエスケープキー、所定の機能を実行させるためのファンクションキー（Ｆ１〜Ｆ１０）、表示されている画像を取り込むためのプリントスクリーンキー、所定の記号やカナを入力するための記号キー及びカナキー、入力した文字を削除するためのディリートキー及びバックスペースキー、数字の入力が可能な数字キー、カーソルを所定の位置にジャンプさせるためのタブキー、アルファベットの入力が可能なアルファベットキー、入力等を確定するためのエンターキー、入力文字を変換するためのキャプスロックキー、他の操作キー１６、１６、・・・と組み合わせて使用され特定の機能を実行させるためのシフトキー、コントロールキー及びオルトキー、スペースを設ける等のためのスペースキー、カーソルの移動を行うための移動キー等が設けられている。
【００３５】
特定入力部１７、１７、・・・としては、例えば、図４に示すように、左側から順に、システム全体の動作を一時的に停止及びその解除を行うためのスタンバイキー１７ａ、テレビ画面のオン・オフを行うためのテレビキー１７ｂ、テレビのチャンネルを切り替えるためのチャンネル切替キー（＋／−）１７ｃ、１７ｄ、テレビの音量の調節を行うための音量調節キー（＋／−）１７ｅ、１７ｆ及び消音のためのミュートキー１７ｇが設けられている。また、特定入力部１７、１７、・・・として、例えば、表示画面１１上のポインターを操作するためのタッチパッド等のポインティングデバイス、回転操作によりメニューの選択等を行い押圧操作により選択したメニューの実行等を行うための回転式操作ダイヤル（ジョグダイヤル）、回転操作により所定の処理を実行するためのリング状の回転式操作ダイヤル（シャトルリング）等が設けられていてもよい。
【００３６】
キーボード１２の長手方向における一端部には検出用釦１８が設けられている。
【００３７】
キーボードカバー１３は筐体１５と略同じ大きさの横長の矩形状に形成され、長手方向に延びる一端部がヒンジ軸１４、１４を介してキーボード１２に支持されている。キーボードカバー１３は前後に分割された第１のハーフ１９と第２のハーフ２０とから成り、第１のハーフ１９と第２のハーフ２０とが互いに回動自在に支持され折畳可能とされている。
【００３８】
キーボードカバー１３は第１のハーフ１９がキーボード１２に連結されており、第２のハーフ２０の長手方向における一端部にキーボード１２の検出用釦１８を押圧操作可能な検出用突部２０ａが設けられている。
【００３９】
キーボードカバー１３は操作キー１６、１６、・・・を開放する開放位置（図１参照）と操作キー１６、１６、・・・を閉塞する閉塞位置（図２参照）との間で回動可能とされている。
【００４０】
キーボードカバー１３が開放位置にあるときには、通常、図１に示すように、折り畳まれて第２のハーフ２０の長手方向に延びる一端部がキーボード１２の手前側の端部に載置された状態とされる。従って、キーボードカバー１３を、操作キー１６、１６、・・・を操作するときのパームレストとして使用することができる。このとき特定入力部１７、１７、・・・はキーボードカバー１３によって閉塞され、特定入力部１７、１７、・・・に対する操作が不能な状態とされている。
【００４１】
キーボードカバー１３が開放位置にあるときには、キーボードカバー１３に設けられた検出用突部２０ａによるキーボード１２の検出用釦１８に対する押圧操作が行われておらず、操作キー１６、１６、・・・等を操作して所望の処理を行うことができるパソコン画面モードが設定されている。
【００４２】
キーボードカバー１３が閉塞位置にあるときには、図２に示すように、操作キー１６、１６、・・・が閉塞され該操作キー１６、１６、・・・  に対する操作が不能な状態とされている。このとき特定入力部１７、１７、・・・は開放され、特定入力部１７、１７、・・・に対する操作が可能な状態とされている。
【００４３】
キーボードカバー１３が閉塞位置にあるときには、キーボードカバー１３に設けられた検出用突部２０ａによってキーボード１２の検出用釦１８に対する押圧操作が行われており、後述するＡＶモード、例えば、テレビの視聴を行うことができるテレビ画面モードが設定されている。
【００４４】
上記のように、検出用突部２０ａによる検出用釦１８に対する押圧操作が行われると、その旨の信号が装置本体４の制御回路に出力され、該制御回路から出力される指令信号によってパソコン画面モードからＡＶモードに切り替えられる。また、検出用突部２０ａによる検出用釦１８に対する押圧操作が解除されると、その旨の信号が装置本体４の制御回路に出力され、該制御回路から出力される指令信号によってＡＶモードからパソコン画面モードに切り替えられる。
【００４５】
従って、検出用釦１８及び検出用突部２０ａは、キーボードカバー１３の開閉位置を検出する検出手段として機能する。尚、検出手段としては、上記したような検出用釦１８及び検出用突部２０ａによって構成された機械式によるものの他、例えば、光センサーや磁気センサー等を用いた光学式又は磁気式のものであってもよい。
【００４６】
特定入力部１７、１７、・・・には、それぞれ発光体、例えば、ＬＥＤ（Light Emitting Diode）が内蔵されており、テレビ画面モードに切り替えられたときに、発光体の発光により使用可能な特定入力部１７、１７、・・・が点灯する。従って、ユーザーは視覚により現在使用可能な特定入力部１７、１７、・・・を判別することができ、使い勝手の向上を図ることができる。
【００４７】
例えば、テレビ画面モードに切り替えられたときには、スタンバイキー１７ａ、テレビキー１７ｂ、チャンネル切替キー１７ｃ、１７ｄ、音量調節キー１７ｅ、１７ｆ及びミュートキー１７ｇの全てが点灯される。また、テレビ画面モードにおいてスタンバイキー１７ａを操作してシステムを一時的に停止させた状態では、スタンバイキー１７ａのみが点灯され、スタンバイキー１７ａを再び操作することによりシステムの停止状態の解除を行うことができる。
【００４８】
以下に、情報処理機器１においてユーザーが設定可能な各事項について説明する（図５乃至図８参照）。
【００４９】
情報処理機器１においては、キーボードカバー１３が閉塞されたときに起動するモードを設定することができる（図５参照）。
【００５０】
モードの設定は、設定用の画面を表示し、先ず、「音質」、「画質」、「起動ソフト」、「イルミネーション」の項目のうち、「起動ソフト」を選択することにより行う。「起動ソフト」を選択すると、「ＡＶモード」における設定可能項目が表示される。「ＡＶモード」における設定可能項目は、例えば、「テレビ画面モード」、「ＤＶＤプレーヤーモード」及び「ミュージックプレイヤーモード」の３つの項目であり、何れかの項目を選択し確定する（ＯＫフレームの選択）ことにより、キーボードカバー１３が閉塞されたときに起動するモードの設定を完了する。
【００５１】
「テレビ画面モード」を設定すると、キーボードカバー１３が閉塞されたときにパソコン画面モードからテレビ画面モードへの切替が行われて表示画面１１にテレビ画面が表示され、「ＤＶＤプレーヤーモード」を設定すると、キーボードカバー１３が閉塞されたときにパソコン画面モードからＤＶＤプレーヤーモードへの切替が行われて表示画面１１にＤＶＤ（Digital Versatile Disc）の起動画面が表示され、「ミュージックプレーヤーモード」を設定すると、キーボードカバー１３が閉塞されたときにパソコン画面モードからミュージックプレーヤーモードへの切替が行われて表示画面１１にＣＤ（Compact Disc）等の音楽再生用の起動画面が表示される。
【００５２】
このようにモードの設定が変更可能であるため、ユーザーが各モードの使用頻度等を考慮してキーボードカバー１３が閉塞されたときのモードを選択することができ、情報処理機器１の使い勝手の向上を図ることができる。
【００５３】
情報処理機器１においては、表示画面１１の輝度を任意に設定することができる（図６参照）。
【００５４】
輝度の設定は、設定用の画面を表示し、先ず、「音質」、「画質」、「起動ソフト」、「イルミネーション」の項目のうち、「画質」を選択することにより行う。「画質」を選択すると、「ＡＶモード」及び「ＰＣモード（パソコン画面モード）」における設定可能項目がそれぞれ表示される。「ＡＶモード」及び「ＰＣモード」における設定可能項目は、例えば、「最大輝度」及び「任意輝度」の２つの項目であり、「最大輝度」を選択し確定するか、又は、「任意輝度」を選択し所望の輝度を選択して確定することにより、「ＡＶモード」及び「ＰＣモード」の各モードにおける輝度の設定を完了する。
【００５５】
「最大輝度」を設定すると画面が常に最大の輝度で表示され、「任意輝度」を設定すると画面が常に設定した所望の輝度で表示される。
【００５６】
このように表示画面１１の輝度の設定が変更可能であるため、ユーザーが使用環境や使用状況等に応じた輝度を選択することができ、情報処理機器１の使い勝手の向上を図ることができる。
【００５７】
情報処理機器１においては、出力される音声の質（音質）を任意に設定することができる（図７参照）。
【００５８】
音質の設定は、設定用の画面を表示し、先ず、「音質」、「画質」、「起動ソフト」、「イルミネーション」の項目のうち、「音質」を選択することにより行う。「音質」を選択すると、「ＡＶモード」及び「ＰＣモード（パソコン画面モード）」における設定可能項目がそれぞれ表示される。「ＡＶモード」及び「ＰＣモード」における設定可能項目は、例えば、「通常（音響効果なし）」及び「ＷＯＷ（音響効果あり）」の２つの項目であり、「通常」又は「ＷＯＷ」を選択して確定することにより、「ＡＶモード」及び「ＰＣモード」の各モードにおける音質の設定を完了する。
【００５９】
「通常」を設定すると常に低音の音声が出力され、「ＷＯＷ」を設定すると常に立体感のある音声が出力される。
【００６０】
このように音質の設定が変更可能であるため、ユーザーが使用モード等に応じた音質を選択することができ、情報処理機器１の使い勝手の向上を図ることができる。
【００６１】
情報処理機器１においては、使用時の照明（イルミネーション）の有無を設定することができる（図８参照）。
【００６２】
照明の有無の設定は、設定用の画面を表示し、先ず、「音質」、「画質」、「起動ソフト」、「イルミネーション」の項目のうち、「イルミネーション」を選択することにより行う。「イルミネーション」を選択すると、「ＡＶモード」及び「ＰＣモード（パソコン画面モード）」における設定可能項目がそれぞれ表示される。「ＡＶモード」及び「ＰＣモード」における設定可能項目は、例えば、「常時点灯」及び「常時消灯」の２つの項目であり、「常時点灯」又は「常時消灯」の何れかの項目を選択して確定することにより、「ＡＶモード」及び「ＰＣモード」の各モードにおける照明の有無の設定を完了する。
【００６３】
「常時点灯」を設定するとディスプレイ装置２のパネル９に設けられた発光部が常に発光し、「常時消灯」を設定すると発光部が常に発光しない。
【００６４】
このように照明の有無の設定が変更可能であるため、ユーザーが使用モード等に応じた照明の有無を選択することができ、情報処理機器１の使い勝手の向上を図ることができる。
【００６５】
尚、情報処理機器１にあっては、キーボード１２と装置本体４とをＰＳ２インターフェースを用いて接続しているが、キーボードカバー１３の開閉位置の検出及び特定入力部１７、１７、・・・に内蔵された発光体の制御を、それぞれＰＳ２コネクターのリザーブピンを用いて行っている。また、ディスプレイ装置２と装置本体４とをアナログＶＧＡコネクタを介して接続しているが、表示画面１１の輝度の制御及び音響効果（ＷＯＷ）の制御をＤＣＣシリアル通信（拡張規格のＤＤＣ２Ｂｉ使用）を用いて行っている。
【００６６】
従って、既存の通信手段及び接続手段によってキーボードカバー１３の開閉位置の検出、特定入力部１７、１７、・・・に内蔵された発光体の制御、表示画面１１の輝度の制御及び音響効果（ＷＯＷ）の制御という各機能を追加することができるため、新たな接続ケーブルやコネクター等を必要とせず、これらの各機能を追加することによってもコストの高騰を来たすことがない。
【００６７】
以上に記載した通り、情報処理機器１にあっては、キーボードカバー１３が開放位置にあるときにはパソコン画面モードが設定されて操作キー１６、１６、・・・が開放されると共に特定入力部１７、１７、・・・が閉塞され、キーボードカバー１３が閉塞位置にあるときにはＡＶモード、例えば、テレビ画面モードが設定されて操作キー１６、１６、・・・が閉塞されると共に特定入力部１７、１７、・・・が開放される。
【００６８】
従って、使用モードに応じた必要なキーのみが開放されて操作可能とされており、各モードにおいて、不要なキーへの塵埃の付着及び隣接する不要なキー間への塵埃の侵入を防止することができる。
【００６９】
また、各モードにおいて操作を必要とするキーのみが開放されるため、不必要なキーが目障りとならず、情報処理機器１の使い勝手の向上を図ることができる。
【００７０】
さらに、特定入力部１７、１７、・・・をキーボード１２に配置することにより、特定入力部１７、１７、・・・のための配線の引き回しが少なくて済み、設計及び製造の容易化を図ることができる。
【００７１】
尚、特定入力部１７、１７、・・・は、図９に示すように、キーボードカバー１３の操作キー１６、１６、・・・に対向する側と反対側の面１３ａに配置してもよい。この場合には、特定入力部１７、１７、・・・を配置するための広いスペースを確保することができるため設計の自由度が向上し、また、広いスペースに特定入力部１７、１７、・・・を配置することにより特定入力部１７、１７、・・・を大型化することが可能であり操作性の向上を図ることができる。
【００７２】
情報処理機器１にあっては、入力装置３にキーボードカバー１３の開閉位置を検出する検出手段として機能する検出用釦１８及び検出用突部２０を設けているので、キーボードカバー１３の開放位置と閉塞位置の検出を確実に行うことができる。
【００７３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７４】
【図１】図２乃至図９と共に本発明の最良の形態を示すものであり、本図は、キーボードカバーが開放された状態で示す情報処理機器の斜視図である。
【図２】キーボードカバーが閉塞された状態で示す情報処理機器の斜視図である。
【図３】入力装置の概略断面図である。
【図４】キーボードカバーが閉塞された状態で示す入力装置の平面図である。
【図５】図６乃至図８と共にユーザーが設定可能な各事項について説明するためのものであり、本図はキーボードカバーが閉塞されたときに起動するモードの設定画面を示す図である。
【図６】表示画面の輝度の設定画面を示す図である。
【図７】音質の設定画面を示す図である。
【図８】照明の設定画面を示す図である。
【図９】キーボードカバーに特定入力部が設けられた入力装置を示す平面図である。
【符号の説明】
【００７５】
１…情報処理機器、２…ディスプレイ装置、３…入力装置、４…装置本体、１１…表示画面、１２…キーボード、１３…キーボードカバー、１３ａ…反対側の面、１６…操作キー、１７…特定入力部、１８…検出用釦（検出手段）、２０ａ  検出用突部（検出手段）
【図１】
2005149045.tif 000003
【図２】
2005149045.tif 000004
【図３】
2005149045.tif 000005
【図４】
2005149045.tif 000006
【図５】
2005149045.tif 000007
【図６】
2005149045.tif 000008
【図７】
2005149045.tif 000009
【図８】
2005149045.tif 000010
【図９】
2005149045.tif 000011